(57)【要約】【課題】携帯電話に装着して被検体を光学的に拡大する交換レンズにおいて、ピントを確実に調整することが容易であり、また、ピントを正確に調整した後に、調整したピントがずれ難い交換レンズを提供することを目的とする。【解決手段】接眼レンズと、対物レンズと、被検レンズと、上記接眼レンズと対物レンズと被検レンズとを互いに固定する鏡筒と、上記鏡筒と携帯電話とを、間接的にまたは直接的に係合する係合手段と、上記接眼レンズと被検体との間に設けられ、上記接眼レンズと上記被検体との間の距離を調節することによってピントを調節するヘリコイドとを有する交換レンズである。【選択図】図１
2015079148.tif 000002
【特許請求の範囲】
【請求項１】
接眼レンズと；
対物レンズと；
被検レンズと；
上記接眼レンズと対物レンズと被検レンズとを互いに固定する鏡筒と；
上記鏡筒と携帯電話とを、間接的にまたは直接的に係合する係合手段と；
上記接眼レンズと被検体との間に設けられ、上記接眼レンズと上記被検体との間の距離を調節することによってピントを調節するヘリコイドと；
を有することを特徴とする交換レンズ。
【請求項２】
請求項１において、
上記ヘリコイドは、直進ヘリコイドであることを特徴とする交換レンズ。
【請求項３】
請求項１において、
上記ヘリコイドは、回転ヘリコイドであることを特徴とする交換レンズ。
【請求項４】
請求項１において、
上記被検体と上記被検レンズとの間に設けられるスペーサであって、上記ヘリコイドに固定されているスペーサを有することを特徴とする交換レンズ。
【請求項５】
請求項４において、
上記スペーサは、光軸とほぼ直交する方向に突出部を有することを特徴とする交換レンズ。
【請求項６】
請求項５において、
上記突出部におもりが設けられていることを特徴とする交換レンズ。
【請求項７】
請求項４において、
上記スペーサは、透明の合成樹脂またはガラスで構成されていることを特徴とする交換レンズ。
【請求項８】
請求項４において、
上記スペーサには、光軸が視野中心に向いている光源が固定されていることを特徴とする交換レンズ。
【請求項９】
請求項８において、
光源の電池を収容する容器が上記スペーサに固定され、上記容器を操作者が把持可能であることを特徴とする交換レンズ。
【請求項１０】
請求項８において、
上記光源は、紫外線発光光源または赤外線発光光源であることを特徴とする交換レンズ。
【発明の詳細な説明】
【技術分野】
【０００１】
本発明は、携帯電話に装着する交換レンズに関する。
【背景技術】
【０００２】
携帯電話にカメラ機能が設けられ、このカメラのレンズに、像を拡大する光学系を装着することが知られている（たとえば、特許文献１参照）。
【０００３】
この像を拡大する光学系は、その鏡筒を、１つ目の筒と２つ目の筒の２重の構造にし、１つ目の筒の外径より、２つ目の筒の内径をやや大きくし、１つ目の筒と２つ目の筒とを摺動させる。そして、１つ目の筒に、フィールドレンズと収束レンズとを固定し、２つ目の筒に対物レンズを固定している。なお、１つ目の筒を携帯電話に固定し、２つ目の筒を被検体に向け、プレパラートで固定されている被検体を拡大して携帯電話で撮影する。
【０００４】
この従来例において、ピント調整する場合、１つ目の筒に対して２つ目の筒を摺動させることによって、対物レンズの位置を調整し、これによって、ピントを調整する。
【先行技術文献】
【特許文献】
【０００５】
【特許文献１】特開２０１３−１６０９１５号公報
【発明の概要】
【発明が解決しようとする課題】
【０００６】
しかし、上記従来例では、２つの筒を互いに摺動し、この摺動する距離に応じてピント合わせするので、微妙なピント合わせをする場合、ピントを確実に調整することが困難であるという問題がある。
【０００７】
また、上記従来例において、仮に、ピントを正確に調整することができたとしても、その状態は１つ目の筒と２つ目の筒との摩擦で維持されているので、調整位置が不安定であり、したがって、調整したピントがずれやすいという問題がある。
【０００８】
本発明は、携帯電話に装着して被検体を光学的に拡大する交換レンズにおいて、ピントを確実に調整することが容易であり、また、ピントを正確に調整した後に、調整したピントがずれ難い交換レンズを提供することを目的とする。
【課題を解決するための手段】
【０００９】
本発明の交換レンズは、接眼レンズと、対物レンズと、被検レンズと、上記接眼レンズと対物レンズと被検レンズとを互いに固定する鏡筒と、上記鏡筒と携帯電話とを、間接的にまたは直接的に係合する係合手段と、上記接眼レンズと被検体との間に設けられ、上記接眼レンズと上記被検体との間の距離を調節することによってピントを調節するヘリコイドとを有することを特徴とする。
【発明の効果】
【００１０】
本発明によれば、携帯電話に装着して被検体を光学的に拡大する交換レンズにおいて、ピントを確実に調整することが容易であり、また、ピントを正確に調整した後に、調整したピントがずれ難いという効果を奏する。
【図面の簡単な説明】
【００１１】
【図１】本発明の実施例１である交換レンズ１００と携帯電話１０との関係を示す図である。
【図２】直進ヘリコイド４０の詳細を示す図である。
【図３】実施例１において、ピント合わせの途中の状態および終了した状態を示す図である。
【図４】本発明の実施例２である交換レンズ２００と携帯電話１０との関係を示す図である。
【図５】回転ヘリコイド７０の断面図である。
【図６】実施例２において、ピント合わせする場合に、ピント合わせ前の状態、ピント合わせ途中の状態、ピント合わせが終了した状態を示す図である。
【図７】本発明の実施例３を示す図である。
【図８】本発明の実施例４である交換レンズ３００を示す図である。
【発明を実施するための形態】
【００１２】
発明を実施するための形態は、以下の実施例である。
【実施例１】
【００１３】
図１は、本発明の実施例１である交換レンズ１００と携帯電話１０との関係を示す図である。
【００１４】
携帯電話１０は、カメラレンズ１１を有し、携帯電話１０のケースを挟むように挟持手段２０が設けられている。
【００１５】
挟持手段２０には、穴２１が設けられ、穴２１には雌ネジが設けられ、この雌ネジは、挟持手段２０と後述する鏡筒３４とを接合する係合部２２を形成している。なお、穴２１は、カメラレンズ１１の視界を確保するために設けられている開口である。
【００１６】
交換レンズ１００は、交換レンズ主要部３０と、直進ヘリコイド４０と、スペーサ５０とを有する。
【００１７】
交換レンズ主要部３０は、顕微鏡の光学系の主要部を構成し、接眼レンズ３１と、対物レンズ３２と、被検レンズ３３と、鏡筒３４と、係合部３５とを有する。
【００１８】
鏡筒３４は、接眼レンズ３１と、対物レンズ３２と、被検レンズ３３とを互いに固定している。
【００１９】
係合部３５は、鏡筒３４の端部に設けられている雄ネジによって構成されている。つまり、鏡筒３４の雄ネジである係合部３５と、挟持手段２０の雌ネジである係合部２２とが螺合することによって、挟持手段２０を介して、鏡筒３４と携帯電話１０とが間接的に結合される。なお、挟持手段２０を介さずに、鏡筒３４と携帯電話１０とを、直接的に係合するようにしてもよい。
【００２０】
図２は、直進ヘリコイド４０の詳細を示す図である。
【００２１】
直進ヘリコイド４０は、鏡筒３４の端部に固定され、被検レンズ３３と被検体６０との間に設けられている。
【００２２】
また、直進ヘリコイド４０は、内筒４１と、駆動環４２と、外筒４３との３重の環で構成されている。内筒４１の図２中、上部に、交換レンズ主要部３０の下部が固定され、内筒４１の図２中、下部に、スペーサ５０の上部が固定されている。
【００２３】
また、駆動環４２には、ピン４１Ｐと遊嵌する長溝４２Ｄが設けられている。駆動環４２は、ピン４１Ｐ、長溝４２Ｄを介して、外筒４３と内筒４１とをつなぐ。そして、外筒４３を回すと、駆動環４２が回転し、長溝４２Ｄが回転し、この回転に伴って、ピン４１Ｐが上下動し、ピン４１Ｐが固定されている内筒４１が上下動する。
【００２４】
つまり、外筒４３を回転した場合、鏡筒３４とスペーサ５０とが回転せずに、被検レンズ３３と被検体６０との間の距離を調節することができ、これによって、ピントを調節する。
【００２５】
なお、外筒４３と駆動環４２とがネジ等で固定されていてもよく、内筒４１が、鏡筒３４であってもよい。
【００２６】
スペーサ５０は、透明体で構成され、具体的には合成樹脂またはガラス等で構成され、その断面が、被検体６０側が広めである台形状であり、いわゆるスカート状である。また、スペーサ５０には、被検体６０を出し入れできる空間が設けられている。図１中、スペーサ５０の下部に、突出部５１が設けられている。なお、突出部５１は、スペーサ５０の下部でなくても、スペーサ５０の上部に設けられていてもよく、また、スペーサ５０の上部と下部との間に設けられていてもよい。さらに、突出部５１は、上記光軸とほぼ直交する方向に設けられている。
【００２７】
突出部５１は、被検体６０としてのたとえば人間の皮膚に接触し、この皮膚を顕微鏡観察するために設けられ、また、おもり５２を設置するために設けられている。おもり５２は、交換レンズ１００が装着された携帯電話１０が、転倒することを防止するために設けられている。なお、突出部５１、おもり５２を削除するようにしてもよい。
【００２８】
実施例１において、対物レンズ３２と被検体６０との間に、被検レンズ３３が設けられているので、顕微鏡としての機能を発揮できる。そして、ピントを合わせるには、被検レンズ３３と被検体６０との距離を変化させればよい。
【００２９】
実施例１においてピントが合ったときにおける被検レンズ３３と被検体６０との距離とほぼ同じ長さに、スペーサ５０の光軸方向の長さをセットすれば、ピント合わせの微調整の範囲が狭く、ピント合わせの時間が短くなる。
【００３０】
実施例１において、被検体６０にまたは被検体６０の周辺にスペーサ５０が固定されていれば、直進ヘリコイド４０の外筒４３を回動しても、携帯電話１０が共回りすることがない。
【００３１】
図３は、実施例１において、ピント合わせの途中の状態および終了した状態を示す図である。
【００３２】
実施例１では、ピント合わせの最初の状態、途中の状態、終了した状態の全ての状態で、携帯電話１０のディスプレイ１２の方向が同一である。したがって、実施例１では、ピント合わせの途中でディスプレイ１２の向きが変わらず、さらに、ピント合わせの途中でディスプレイ１２と被検体６０との相対位置が変化しないので、拡大画面を見易い。
【００３３】
ところで、ピント調節するに際して、被検レンズ３３と被検体６０との距離を変化させる場合、鏡筒全体を移動する顕微鏡方式（ラックピニオン式）を採用することが考えられる。しかし、この顕微鏡方式は、高価であるという問題があるが、実施例１は、比較的安価である。
【００３４】
実施例１によれば、直進ヘリコイド４０を使用しているので、ピントを確実に微調整することできる。また、実施例１によれば、直進ヘリコイドを使用しているので、ピント合わせを微調整した後にそのピントがずれ難い。さらに、実施例１によれば、スペーサ５０を使用しているので、ピント合わせをするための調整距離が短く、したがって、ピントの微調整時間が短い。
【００３５】
なお、直進ヘリコイド４０を、接眼レンズ３１と対物レンズ３２との間に設けてもよく、対物レンズ３２と被検レンズ３３との間に設けるようにしてもよい。つまり、接眼レンズ３１と被検体６０との間のどこにでも、直進ヘリコイド４０を設けてもよい。
【実施例２】
【００３６】
図４は、本発明の実施例２である交換レンズ２００と携帯電話１０との関係を示す図である。
【００３７】
交換レンズ２００は、交換レンズ１００において、直進ヘリコイド４０の代わりに、回転ヘリコイド７０を設けたレンズである。
【００３８】
図５は、回転ヘリコイド７０の断面図である。
【００３９】
回転ヘリコイド７０は、内筒７１と外筒７３とを有し、内筒７１と外筒７３とは、互いに螺合している。内筒７１が交換レンズ主要部３０に固定され、外筒７３がスペーサ５０に固定されている。そして、回転ヘリコイド７０は、被検レンズ３３と被検体６０との間に設けられ、鏡筒３４が回転しながら、被検体６０と被検レンズ３３との間の距離を調節することによってピントを調節するヘリコイドである。
【００４０】
次に、交換レンズ２００の動作について説明する。
【００４１】
図６は、実施例２において、ピント合わせする場合に、ピント合わせ前の状態、ピント合わせ途中の状態、ピント合わせが終了した状態を示す図である。
【００４２】
図６（１）は、実施例２において、ピント合わせする前の状態を示す図であり、図６（１）に示す状態では、被検体６０として人間の指６０Ｆを例にとり、指６０Ｆの爪をネイリングした場合のネイリングの出来具合を拡大して表示している。図６（２）は、実施例１において、ピント合わせしている途中段階の状態を示す図であり、図６（３）は、実施例１において、ピント合わせが完了した状態を示す図である。
【００４３】
図６（１）に示す状態では、指６０Ｆの爪と第１関節とが携帯電話のディスプレイ１２に表示されている。この状態から、ピント合わせするために、回転ヘリコイド７０を反時計方向に９０度回転すると、図６（２）に示すように、指６０Ｆの爪はディスプレイ１２に表示されるが、第１関節がディスプレイ１２から外れ、表示されなくなる（欠落する）が、注目している指６０Ｆの爪は表示されている。
【００４４】
そして、図６（２）に示す状態から、ピント合わせするために、回転ヘリコイド７０を反時計方向にさらに９０度回転すると、図６（３）に示すように、指６０Ｆの爪の先の部分まで、ディスプレイ１２に表示される。
【００４５】
つまり、実施例２において、ピント調節中に、被検体６０（指６０Ｆ）の方向は変化しないが、携帯電話のほぼ長方形のディスプレイ１２の方向が変化し、すなわち、被検体６０の方向に対する長方形のディスプレイ１２の向きが変化する。したがって、実施例２で
は、ピント合わせ中に、被検体６０の周囲を広く、ディスプレイ１２に拡大表示することができる。
【００４６】
なお、回転ヘリコイド７０を、接眼レンズ３１と対物レンズ３２との間に設けてもよく、対物レンズ３２と被検レンズ３３との間に設けるようにしてもよい。つまり、接眼レンズ３１と被検体６０との間のどこにでも、回転ヘリコイド７０を設けてもよい。
【００４７】
また、実施例１、２において、直進ヘリコイド４０、回転ヘリコイド７０の代わりに、空気蛇腹を設けるようにしてもよい。この空気蛇腹に空気を送り込むと、交換レンズ主要部３０と被検体６０との間隔が広くなり、空気蛇腹から空気を抜くと、交換レンズ主要部３０と被検体６０との間隔が狭くなり、空気蛇腹に送り込む空気の量、空気蛇腹から抜く空気の量を調整することによって、ピントを合わせることができる。
【実施例３】
【００４８】
図７は、本発明の実施例３を示す図である。
【００４９】
実施例３は、交換レンズ１００において、直進ヘリコイド４０の代わりに、楔機構８０を設けた実施例である。
【００５０】
楔機構８０は、内筒８１と、楔８２と、外筒８３と、ばね８４と、ネジ８５とを有する。内筒８１は、図７中、その下端部が、斜めにカットされ、楔８２は、その上端部が、内筒８１の下端部の傾斜と同じ傾斜でカットされ、楔８２の下端部が、図７中、水平を形成し、外筒８３は、図７中、その上端部が水平である。また、楔８２の、図７中、左端部と外筒８３との間にばね８４が設けられ、楔８５の、図７中、右端部が、ネジ８５によって、押圧されている。内筒８１の上端部に交換レンズ主要部３０が固定され、外筒８３の下端部にスペーサ５０が固定されている。
【００５１】
楔機構８０において、ばね８４によって、楔８２が右方向に付勢され、これに抗して、ネジ８５を回動すると、楔８２が、図７中、左方向に移動し、これによって、内筒８１が、図７中、上方に押し上げられる。逆に、ネジ８５を逆回転すると、楔８２が、図７中、右方向に移動し、これによって、内筒８１が図７中、押し下げられ。つまり、ネジ８５の回動方向と回動量とに応じて、内筒８１が上下動し、すなわち、交換レンズ主要部３０が上下動し、ネジ８５の回動量に応じて、交換レンズ主要部３０の上下の移動量が定まる。
【実施例４】
【００５２】
図８は、本発明の実施例４である交換レンズ３００を示す図である。
【００５３】
交換レンズ３００は、交換レンズ１００において、スペーサ５０に、照明装置９０を設けた実施例である。
【００５４】
照明装置９０は、光源９１と電池９２と容器９３とを有する。
【００５５】
光源９１は、その光軸が、視野中心に向けられ、スペーサ５０に固定されている。電池９２は光源９１に電力を供給し、乾電池等で構成されている。また、電池９２は、円筒状の容器９３に収納され、この容器９３は、スペーサ５０に固着されている。容器９３を操作者が自己の手で握れば、交換レンズ４００と携帯電話１０とを容易に移動することができる。つまり、容器９３を操作者が把持可能である。
【００５６】
また、光源９１の表面を擦りガラス加工すれば、散光し、被検体６０に、光が均一に照射される。さらに、光源９１を複数、設けるようにしてもよい。
【００５７】
なお、交換レンズ３００では、照明装置９０が取り付けられているスペーサ５０は、交換レンズ１００等の顕微鏡機能を有する装置に設けられている。このようにする代わりに、照明装置９０が取り付けられているスペーサ５０を、接写用アダプタとして使用するようにしてもよい。
【００５８】
さらに、上記各実施例において、照明装置９０として、紫外線発光装置を設けるようにしてもよい。この場合、スペーサ５０内に被験者の指６０Ｆを挿入し、紫外線発光装置からの紫外線をその指６０Ｆに照射すると、被験者が喫煙者であれば、その指６０Ｆが蛍光を発する。つまり、紫外線照射によって、健康診断することができる。
【００５９】
また、上記各実施例において、照明装置９０として、赤外線発光装置を設けるようにしてもよい。そして、スペーサ５０内に被験者の指６０Ｆを挿入し、赤外線発光装置からの赤外線をその指６０Ｆに照射すると、毛細血管が見え、リューマチ患者であれば、見えた毛細血管が途切れているので、リューマチの有無を検査することができる。
【符号の説明】
【００６０】
１００…交換レンズ、
１０…携帯電話、
２０…挟持手段、
３４…鏡筒、
４０…直進ヘリコイド、
５０…スペーサ、
２００…交換レンズ、
７０…回転ヘリコイド、
８０…楔、
３００…交換レンズ、
９１…光源
９２…電池、
９３…容器。
【図１】
2015079148.tif 000003
【図２】
2015079148.tif 000004
【図３】
2015079148.tif 000005
【図４】
2015079148.tif 000006
【図５】
2015079148.tif 000007
【図６】
2015079148.tif 000008
【図７】
2015079148.tif 000009
【図８】
2015079148.tif 000010